(57)【要約】      （修正有）【課題】タバコの先端を満遍なく包み込みながら着火することができる低廉なガスライターを提供する。【解決手段】ライター本体１の上位に配設された風防２と、該風防２に設けられた火炎変形手段３とを備える。火炎変形手段３は、円形蓋状の基体と、該基体の頂面に開口された一文字の炎孔とからなり、前記風防２の円孔内に嵌合せしめる。炎孔は一文字のスリットに開口されることにより、ここを通過する火炎Ｂが強制的に逆円錐状に変形されるため（先端が円形状の）タバコにあっては満遍にムラなく着火できる。因に、斯かる横長の炎孔の大きさは、使用するライターの種類や大きさに応じて異なるものであり、必要に応じて十文字、星形、ハート型と形を変えても良い。【選択図】図１
0003143834.tif 000002
【実用新案登録請求の範囲】
【請求項１】
少なくともガス噴出ノズルの上位若しくは近傍に風防を配設してなるガスライターにおいて、前記風防は、火炎を変形させるための火炎変形手段を備えてなることを特徴とするガスライター。
【請求項２】
前記火炎変形手段は、横長に開口された一文字の炎孔を有することを特徴とする請求項１に記載のガスライター。
【請求項３】
前記火炎変形手段は、風防に着脱自在に装着される基体と、該基体に形成された横長の炎孔とを備えてなることを特徴とする請求項１に記載のガスライター。
【考案の詳細な説明】
【技術分野】
【０００１】
本考案は、ライター本体の炎孔から出る炎(以下、単に火炎という)を通常よりも幅広く変形させて使用することができるガスライターに関し、更に詳しくは、葉巻等にも対応できる低廉なガスライターに関する。
【背景技術】
【０００２】
従来、斯かるガスライターとしては、例えば、燃料ガスが充填されるガスタンクと、該ガスタンクからの燃料ガスを流速を強めて噴出させることにより生ずる負圧によって空気を吸い込ませる吸気孔を有し、燃料ガスと空気との混合を促進させる混合管と、この混合ガスの流速を減速し拡散させるために前記混合管と連設させた拡散器と、該拡散器により空気と混合されたガス（混合ガス）を更に減速と拡散をさせて点火と燃焼に充分な流速の空気との混合ガスにするための前記拡散器に連設させた燃焼筒と、該燃焼筒内の可燃焼ガスに点火する点火手段とを備えることにより、ライター本体内で着火燃焼が行われるように構成されている（例えば、特許文献１参照）。
【特許文献１】特開昭６３−９１４３１号
【考案の開示】
【考案が解決しようとする課題】
【０００３】
しかしながら、上述した特開昭６３−９１４３１号公報に開示されたガスライターにあっては、ジェット噴流で醸し出す混合ガスが燃焼されてバーナー状に着火するため、強風下でも問題なく使用できるといった利点を有するものの、火炎が強すぎる分、細い(スリム)タバコにあっては先端のみならず側面までもが偏って燃えてしまうといった問題があり、逆に、径の太い葉巻にあっては葉巻の先端を満遍なく包み込むような火炎が要望されている。
【０００４】
本考案はこのような従来の問題点及び要望に鑑みてなされたもので、仮令、内燃式ガスライターであっても、タバコの先端を満遍なく包み込みながら着火することができる低廉なガスライターを提供することを目的としたものである。
【課題を解決するための手段】
【０００５】
上述の如き従来の問題点を解決し、所期の目的を達成するため本考案の要旨とする構成は、少なくともガス噴出ノズルの上位若しくは近傍に風防を配設してなるガスライターにおいて、前記風防は、火炎を変形させるための火炎変形手段を備えてなるガスライターに存する。
【０００６】
また、前記火炎変形手段は、横長に開口された一文字の炎孔を有するのが良く、延いては、風防に着脱自在に装着される基体と、該基体に形成された横長の炎孔とを備えるのが良い。
【考案の効果】
【０００７】
本考案は上述のように構成され、少なくともガス噴出ノズルの上位若しくは近傍に風防を配設してなるガスライターにおいて、前記風防は、火炎を変形させるための火炎変形手段を備えたことによって、仮令、内燃式ガスライターのような火炎の強いライターであっても、火炎の変形によりタバコの先端を満遍なく包み込みながら着火できるといった効果を奏する。
【０００８】
また、前記火炎変形手段は、横長に開口された一文字の炎孔を有することによって、炎孔の形状が単純である分、大量生産に適し価格も低廉なものとして需用者に供給できるなど、本考案を実施することはその実益的価値が甚だ大である。
【０００９】
更に、前記火炎変形手段は、風防に着脱自在に装着される基体と、該基体に形成された横長の炎孔とを備えたことによって、既存のライターであっても簡単に取り付けできると共に、火炎を強制的に逆円錐状に変形できるため、仮令、径の太い葉巻であっても、先端全体を満遍に包みながらムラなく着火できるといった効果を奏する。
【考案を実施するための最良の形態】
【００１０】
少なくともガス噴出ノズルの上位若しくは近傍に風防を配設し、該風防には、火炎を変形させるための火炎変形手段を備える。火炎変形手段は、横長に開口された一文字の炎孔を有するのが良く、延いては、風防に着脱自在に装着される基体と、該基体に形成された横長の炎孔とを備えるのが良い。
【実施例】
【００１１】
次に本考案の実施の一例を図面を参照しながら説明する。図中Ａは、本考案に係るガスライターであり、このガスライターＡは、図１に示すように、ライター本体１の上位に配設された風防２と、該風防２に設けられた火炎変形手段３と、同ライター本体１に組み付けられたバルブ機構４(図４参照)とを備えている。
【００１２】
風防２は、図２に示すように、頂面に開口された円孔２ａと、側面に開口された通気孔２ｂとを備えると共に、着火操作子用受け孔２ｃが一体的に隣設されている。
【００１３】
火炎変形手段３は、図２乃至図３に示すように、円形蓋状の基体３ａと、該基体３ａの頂面に開口された一文字の炎孔３ｂとからなり、前記風防２の円孔２ａ内に嵌合されている。
【００１４】
炎孔３ｂは、一文字のスリットに開口することにより、図１に示すように、ここを通過する火炎Ｂが強制的に逆円錐状に変形されるため（先端が円形状の）タバコにあっては満遍にムラなく着火できるのである。
【００１５】
因に、前記横長の炎孔３ｂの大きさは、使用するライターの種類や大きさに応じて異なるものであるが、必要に応じて十文字、星形、ハート型と形を変えても良い。
【００１６】
バルブ機構４は、頂部端面に開口（図示せず）を有する筒蓋状のノズル螺旋４ａと、該ノズル螺旋４ｂの下方開口部に嵌合された有底筒状のノズル底栓体４ｂとで内部に弁室（図示せず）を形成しているもので、この弁室内には、Ｏリング、スプリングを介してガス噴出ノズル４ｃが上端を前記ノズル螺旋４ａの開口より外方へ突出すべく装着されている。
【００１７】
更に、ノズル底栓体４ｂの底面には、モルト等のフィルター４ｄ並びに釘状固定子４ｅ等を介して液化ガス吸上部材４ｆが装着されている。この液化ガス吸上部材４ｆは、上端がノズル底栓体４ｂ内に連結支持され下端が前記ガスタンク２内に延出すべく組み付けられたチューブ管からなり、必要に応じて中に焼結芯等を充填させても良い。
【００１８】
釘状固定子４ｅは、着火によりガスタンク２内の気化熱が奪われるのを阻止するものであり、上端側が前記フィルター４ｄの底面に接触し下端側が液化ガス吸上部材４ｅ内に延出するように形成されている。
【００１９】
他方、内燃機構６は、カプラー５の小径部５ａ内に封緘されたノズルプレート６ａと、同小径部５ｂの上端に被冠された混合管６ｂと、該混合管６ｂの上部に連設された拡散器６ｃと、該拡散器６ｃを内装すべく接合された燃焼筒６ｄとを備えている。
【００２０】
前記ノズルプレート６ａは、中央に穿孔(図示せず)を有しており、ガス噴出ノズル４ｃから噴出される気化ガスの流速を更に加速せしめるものである。
【００２１】
また、前記混合管６ｂは、中空の筒体に成形されており、半径方向に複数の吸気孔６ｂ１ が開口されている。この吸気孔６ｂ１ は、前記ノズルプレート６ａの穿孔(図示せず)を通過する燃料ガスが流速を強めて噴出されることによって生ずる負圧を利用して空気を吸い込むもので、燃料ガスと空気との混合を促進せしめるものである。
【００２２】
拡散器６ｃは、上下方向（同軸方向）に貫通した噴出路６ｃ１ と、該噴出路６ｃ１ と連通する複数の拡散孔６ｃ２ ，６ｃ２ …とが形成されている。
【００２３】
この拡散孔６ｃ２ ，６ｃ２ …は、混合管６ｂ側から流入してくる混合ガスが拡散器６ｃの頂面に当接して逆噴流を惹起せしめるように前記噴出路６ｃ１ の入口側（下端側）よりも小孔に縮径させており、ガスの混合を更に促進させながら効果的に混合ガスを拡散せしめるものである。
【００２４】
更に、燃焼筒６ｄは、上下両端が開口した中空の筒体からなり、下端開口に前記拡散器６ｃを固定すべく連結支持すると共に、後述する放電端子８が組み付けられている。
【００２５】
また、前述したガス噴出ノズル４ｃの頚部に一端が係合された弁操作レバー７と、該弁操作レバー７の他端側に連動される着火操作子９(図１参照)と、該着火操作子９の押し込み操作により動作させる圧電ユニット１０とを備え、前記ガス噴出ノズル４ｃの近傍には、ガス量調整螺子１１が回動自在に組み付けられている。
【００２６】
このように構成される本考案のガスライターＡは、ライター本体１を握持した手の親指で着火操作子９を押し下げ操作することにより、圧電ユニット１０を押圧動作して前記放電端子８に火花放電が発生すると共に、ガス噴出ノズル４ｃの頚部が弁操作レバー７により引出方向に動作されて弁が開き、かつ、前記液化ガス吸上部材４ｆを介して吸い上げられたガスタンク内の燃料ガスがフィルター４ｄに達し気化する。
【００２７】
また、気化したガスは、フィルター４ｄを透過してノズル底栓体４ｂの弁孔を抜け更にガス噴出ノズル４ｃの半径方向に開口された穿孔（図示せず）を通ってガス噴出路（図示せず）内に達し上端の噴出口から外方へと噴出される。
【００２８】
そして、斯かるガス噴出ノズル４ｃから噴出された気化ガスは、ノズルプーレート６ａの封緘により更に流速を強めて噴出され、同時に斯かる流速で生ずる負圧作用を利用して混合管６ｂの吸気孔６ｂ１ から空気を吸い込み拡散器６ｃへと噴射される。
【００２９】
而して、噴射されたガスと空気の混合ガスは、拡散器６ｃ内の天頂面に当接して逆噴流を惹起せしめ、燃焼効率を向上すべく更に混合されながら側面に開口された複数の拡散孔６ｃ２ ，６ｃ２ …を介して燃焼筒６ｄ内へと拡散され、その瞬間に前記火花放電が引火してバーナー状に着火するが、前記火炎変形手段３の炎孔３ｂを介して火炎Ｂが逆円錐状に現出するため(図１参照)、タバコの先端外周を囲繞しながらムラなく着火できるのである。
【００３０】
尚、本考案のガスライターＡは本実施例に限定されることなく、本考案の目的の範囲内で自由に設計変更し得るものであり、本考案はそれらの全てを包摂するものである。例えば、本明細書では内燃式ガスライターについてのみ説明しているが、これに限定されることなく、通常のフリント式ライター、ピエゾライター等にも使用できることは云うまでもない。
【図面の簡単な説明】
【００３１】
【図１】本考案に係るガスライターの開蓋状態を示す斜視図である。
【図２】同ガスライターの要部を示す組立分解斜視図である。
【図３】図３(ａ)は同ガスライターの火炎変形手段を示す斜視図、図３(ｂ)は同断面図である。
【図４】同ガスライターの内燃機構を示す要部説明図である。
【符号の説明】
【００３２】
１  ライター本体
１ａ  蓋体
２  風防
２ａ  円孔
２ｂ  通気孔
２ｃ  着火操作子用受け孔
３  タンク上蓋
４  バルブ機構
４ａ  ノズル螺旋
４ｂ  ノズル底栓体
４ｃ  ガス噴出ノズル
４ｄ  フィルター
４ｅ  釘状固定子
４ｆ  液化ガス吸上部材
５  カプラー
６  内燃機構
６ａ  ノズルプレート
６ｂ  混合管
６ｂ１ 吸気孔
６ｃ  拡散器
６ｃ１ 噴出路
６ｃ２ 拡散孔
６ｄ  燃焼筒
７  弁操作レバー
８  放電端子
９  着火操作子
１０  圧電ユニット
１１  ガス調整レバー
１２  導電線
【図１】
0003143834.tif 000003
【図２】
0003143834.tif 000004
【図３】
0003143834.tif 000005
【図４】
0003143834.tif 000006